(57)【特許請求の範囲】
【請求項１】
厨房家具を設置する床表面に敷設され、立面に電極を配設した枠状の電極枠と電源装置を備え、前記電極枠の電極と電源装置とを電気的に接続するとともに、前記電極枠内は、分割電極部材を介して複数の三角形状内部空間に分割した防虫装置。
【発明の詳細な説明】
【０００１】
【発明の属する技術分野】
本発明は屋内における不快害虫の駆除に関するものであり、特にキッチン空間に多いゴキブリ等、床や壁面等を主として移動する不快害虫を駆除する防虫装置に関するものである。
【０００２】
【従来の技術】
従来のこの種の防虫装置は特許第１９２３３２４号に記載されているようなものが一般的であった。この防虫装置は厨房家具等の収納庫において各々の開口部周辺に帯状の電極を配設し、電源装置と電気的に接続した構成であり、電極に接触した害虫を電気ショックにより駆除する収納庫である。
【０００３】
【発明が解決しようとする課題】
しかしながら上記従来例は、構造的に複雑である防虫装置付の専用収納庫を必要とする。したがって一般手持ちの厨房家具に取り付けることができず、また厨房空間でゴキブリが好んで近寄る冷蔵庫、オーブン、食器洗い機等のビルトイン機器への対応はできないという課題があった。
【０００４】
【課題を解決するための手段】
本発明は上記課題を解決するため、厨房家具を設置する床表面に敷設され、立面に電極を配設した枠状の電極枠と電源装置を備え、前記電極枠の電極と電源装置とを電気的に接続するとともに、前記電極枠内は、分割電極部材を介して複数の三角形状内部空間に分割した。
【０００５】
上記発明によれば防虫装置は厨房家具の下部に敷設する別部材であり、一般手持ちの厨房家具はもちろんビルトイン機器への対応が可能である。しかも電極は立面に配設しているため、厨房家具の下部に敷設しても、表面に塵芥が積もる心配は少なく、また床に水を溢した場合でも、電極が冠水して短絡する心配もなく長期間安定した性能を発揮するとともに、安全に使用できるという効果がある。
【０００６】
【発明の実施の形態】
本発明の防虫装置は、厨房家具を設置する床表面に敷設され、立面に電極を配設した枠状の電極枠と電源装置を備え、前記電極枠の電極と電源装置とを電気的に接続するとともに、前記電極枠内は、分割電極部材を介して複数の三角形状内部空間に分割した。
【０００７】
したがって、電源装置から供給される電圧により、電極の両極間は常時印加された状態になっており、ゴキブリ等の害虫が電極の両極をまたいだ時に電気ショックをあたえ、害虫を瞬間的に排除し防虫効果を発揮することができる。
【０００８】
しかも、電極枠の内部に進入した害虫が電極に接触する機会が多くなり、より高い防虫効果を発揮することができる。
【０００９】
【実施例】
先ず、本発明の実施例について説明する前に参考実施例について説明する。
【００１０】
（参考実施例１）
図１において、床面に枠状の電極枠１を敷設し、その上に厨房家具２を設置してあり、電極枠１は厨房家具２のほぼ全設置面にわたって敷設している。
【００１１】
図２は同実施例の防虫装置の外観斜視図でここに示すように、電極枠１は桟材４本で枠状に構成されいる。電極枠１の内部には、内部空間を分割するように複数の分割電極部材３が配設されている、厨房家具２の下部前面には電池を主機能とする電源装置４が設置されている。
【００１２】
図３は断面が同形状の電極枠１及び分割電極部材３の詳細断面図で、ここに示すように、絶縁性の樹脂材料等で成形した略中空角柱状の絶縁体１ａの外面には導電性の樹脂材料等の電極体１ｂが同時成形されている、電極体１ｂは両側面中央部で絶縁体１ａにより上下に分割されており２極が構成されている。
【００１３】
図４は同実施例を示す要部外観斜視図で、電極枠１のコーナー部１ｃ及び電極枠１と分割電極部材３の接合部１ｄにおいて、電極体１ｂ相互を金属等の導電材料で成形した上下１対のジョイント部材５で電気的に接合されており、全ての電極枠１と分割電極部材３の電極体１ｂは上側、下側それぞれが電気的に接続されており、極性の異なる電極として構成される。電極体１ｂと電気的に接合された電源端子と１ｅと電源装置４は１対のリード線６介して電気的に接合されている。
【００１４】
次に動作、作用について説明すると、電源装置４から供給される電流はリード線６、電源端子１ｅを介して上下それぞれの電極体１ｂに印加される。上下それぞれの電極体１ｂは極性の異なった電極、例えば上部がプラス極、下部がマイナス極として常時印加された状態を保つ。害虫が防虫装置に近づき、電極体１ｂの異なった極をまたいで接触した時に、瞬時に害虫に電流が流れ、電気ショックにより害虫を撃退することができる。
【００１５】
また、電極枠１の内部に進入した害虫は、内部を移動している内に、電極枠１の内面や分割電極部材３の電極体１ｂに接触し電気ショックを受けることにより活動を阻まれ、待避または死滅することになる。
【００１６】
（参考実施例２）
図６において、電極枠１の裏面に粘着剤１ｅを塗布したものである。なお、参考実施例１と同一符号のものは同一構造を有し、説明は省略する。
【００１７】
次に動作、作用を説明すると、電極枠１を床表面に敷設する場合、粘着剤１ｅにより決めた位置に確実に固定することができるとともに、敷設後も移動しにくく、その上部に厨房家具２を設置する場合もやりやすいという効果がある。
【００１８】
上記参考実施例をふまえ以下本発明の実施例を説明する。
【００１９】
（実施例１）
図５において、電極枠１には分割電極部材３が設けてある。分割電極部材３は上下１対の電極体１ｂと絶縁体１ａが一体で成型された帯状の部材で、複数箇所で折り曲げ屏風状に形成され、電極枠１内を複数の三角形状空間に分割するように配設されている。
【００２０】
なお、参考実施例１と同一符号のものは同一構造を有し、説明は参考実施例１のものを援用する。
【００２１】
次に動作、作用を説明すると、本実施例１の場合、分割絶縁部材３で分割される空間の数が多く、またここの空間スペースが小さいので、空間に侵入した害虫の活動阻害する効果が大きく、防虫効果が高い。特に冷蔵庫、オーブン、食器洗幾等の底部オープンのビルトイン機器を上部に設置する場合の効果が高い。
【００２２】
なお、上記参考実施例、および実施例の防虫装置は、床に敷設したスペーサー部材の上に厨房家具を載置して使用する構造であり、載置する厨房家具は、一般市販のシステムキッチンのキャビネットはもちろん、冷蔵庫、オーブン、食器洗い機、洗面台などの防虫対策のしにくい機器も含み、これらを総称して厨房家具と称す。
【００２３】
【発明の効果】
以上説明したように本発明に係る防虫装置は、厨房家具を設置する床表面に敷設し、立面に電極を配設した枠状の電極枠と電源装置を備え、前記電極枠の電極と電源装置が電気的に接続された構成としたので、その上部に載置する厨房家具やビルトイン機器は制限されることが少ないので利用範囲が広い。しかも電極は立面に配設しているため表面に塵芥が積もる心配は少なく、また床に水を溢した場合でも、電極が冠水して短絡する心配もなく長期間安定した性能を発揮するとともに、安全に使用できるという効果がある。
【図面の簡単な説明】
【図１】  本発明の参考実施例１における防虫装置に厨房家具を組合わせ設置した場合の外観斜視図
【図２】  本発明の参考実施例１における防虫装置の外観斜視図
【図３】  本発明の参考実施例１における電極枠の断面図
【図４】  本発明の参考実施例１における防虫装置の要部斜視図
【図５】  本発明の実施例１における電極枠と分割電極部材の外観斜視図
【図６】  本発明の参考実施例２における電極枠の断面図
【符号の説明】
１  電極枠
１ａ  絶縁体
１ｂ  電極体
１ｅ  粘着剤
２  厨房家具
３  分割電極部材
４  電源装置
５  ジョイント部材
６  リード線
【図１】
0003885570.tif 000002
【図２】
0003885570.tif 000003
【図３】
0003885570.tif 000004
【図４】
0003885570.tif 000005
【図５】
0003885570.tif 000006
【図６】
0003885570.tif 000007